(57)【要約】【課題】１つの受信波からテレビジョンおよびレコーダの制御プログラムを簡易な構成で更新できるデジタル放送受信機を提供する。【解決手段】デジタル放送受信装置１０１は、テレビジョン機能およびレコーダ機能を有し、デジタル放送波を受信する。そして、受信した放送波を復調し、復調した信号を変換して得たＴＳ信号を、テレビジョン側およびレコーダ側の両経路に送出する。さらに、送出されたＴＳ信号から更新データおよびその告知情報を抽出し、テレビジョン側およびレコーダ側のそれぞれの経路で制御プログラムを更新する。これにより、１つの受信波でテレビジョン側およびレコーダ側の制御プログラムを更新できる。また、テレビジョン単体またはレコーダ単体で更新データをダウンロードする更新処理をそのまま利用できる。また、低速な通信方法や安価なメモリを利用しても実現可能である。【選択図】図１
2010028344.tif 000002
【特許請求の範囲】
【請求項１】
テレビジョン機能およびレコーダ機能を有し、デジタル放送波を受信する一体型のデジタル放送受信装置であって、
前記受信した放送波を復調し、復調した信号を変換して得たＴＳ信号を、テレビジョン側およびレコーダ側の両経路に送出する信号変換部を備え、
前記送出されたＴＳ信号から更新データおよびその告知情報を抽出し、テレビジョン側およびレコーダ側のそれぞれの経路で制御プログラムを更新することを特徴とするデジタル放送受信装置。
【請求項２】
前記告知情報により、テレビジョン側の更新データを受信するか否かを判定するテレビ側データ判定部と、
テレビジョン側の更新データを受信すると判定された場合には、ダウンロード用の予約起動を設定するテレビ側ダウンロード予約部と、を更に備えることを特徴とする請求項１記載のデジタル放送受信装置。
【請求項３】
前記予約起動がなされたとき、ダウンロードされた更新データにより制御プログラムを更新するテレビ側プログラム更新部を更に備えることを特徴とする請求項２記載のデジタル放送受信装置。
【請求項４】
前記受信された放送波から映像データを取得し、前記映像データから映像信号をデコードする映像デコード部を更に備え、
前記テレビ側プログラム更新部は、前記映像信号のデコードとは独立に制御プログラムを更新することを特徴とする請求項３記載のデジタル放送受信装置。
【請求項５】
前記制御プログラムの更新後に、ブートフラグを、初期起動を示すものに変更するテレビ側データ変更部と、
前記ブートフラグが初期起動を示すか否かを判定し、初期起動を示すと判定された場合には、前記ブートフラグに対応する制御プログラムを初期起動するテレビ側起動部と、を更に備えることを特徴とする請求項３または請求項４記載のデジタル放送受信装置。
【請求項６】
前記告知情報により、レコーダ側の更新データを受信するか否かを判定するレコーダ側データ判定部と、
レコーダ側の更新データを受信すると判定された場合には、ダウンロード用の予約起動を設定するレコーダ側ダウンロード予約部と、を更に備えることを特徴とする請求項１から請求項５のいずれかに記載のデジタル放送受信装置。
【請求項７】
前記予約起動がなされたとき、ダウンロードされた更新データにより制御プログラムを更新するレコーダ側プログラム更新部を更に備えることを特徴とする請求項６記載のデジタル放送受信装置。
【請求項８】
前記制御プログラムの更新後に、ブートフラグを、初期起動を示すものに変更するレコーダ側データ変更部と、
前記ブートフラグが初期起動を示すか否かを判定し、初期起動を示すと判定された場合には、前記ブートフラグに対応する制御プログラムを初期起動するレコーダ側起動部と、を更に備えることを特徴とする請求項６または請求項７記載のデジタル放送受信装置。
【請求項９】
前記ブートフラグを記憶し、前記テレビ側起動部およびレコーダ側起動部がアクセス可能な共有記憶部を更に備えることを特徴とする請求項８記載のデジタル放送受信装置。
【請求項１０】
テレビジョン機能およびレコーダ機能を有する一体型のデジタル放送受信装置の制御プログラムの更新方法であって、
前記受信した放送波を復調し、復調した信号を変換して得たＴＳ信号を、テレビジョン側およびレコーダ側の両経路に送出する信号変換ステップと、
前記送出されたＴＳ信号から更新データおよびその告知情報を抽出する抽出ステップと、
テレビジョン側およびレコーダ側のそれぞれの経路で制御プログラムを更新する更新ステップと、を有することを特徴とする制御プログラムの更新方法。
【請求項１１】
テレビジョン機能およびレコーダ機能を有する一体型のデジタル放送受信装置の制御プログラムの更新プログラムであって、
前記受信した放送波を復調し、復調した信号を変換して得たＴＳ信号を、テレビジョン側およびレコーダ側の両経路に送出する信号変換処理と、
前記送出されたＴＳ信号から更新データおよびその告知情報を抽出する抽出処理と、
テレビジョン側およびレコーダ側のそれぞれの経路で制御プログラムを更新する更新処理と、を前記デジタル放送受信装置に実行させることを特徴とする制御プログラムの更新プログラム。
【発明の詳細な説明】
【技術分野】
【０００１】
本発明は、ＢＳ・ＣＳ・地上等のデジタル放送の受信ができるデジタル放送受信装置、制御プログラムの更新方法および制御プログラムの更新プログラムに関する。
【背景技術】
【０００２】
ＢＳ・ＣＳ・地上などのデジタル放送では、テレビジョンを含むデジタル放送受信装置に対して、機能の更新、不具合の修正、放送事業者のロゴマークデータの更新などのために、更新制御プログラムの配信が行われている。更新制御プログラムは、定期的に放送波を介して各家庭に設置されているデジタル放送受信装置に配信されている。放送波から更新制御プログラム、更新データを取り出すことを「ダウンロード」といい、更新制御プログラムが含まれた放送波を「ダウンロード放送」という。
【０００３】
デジタル放送受信装置は、予め設定されたダウンロードの開始時刻になるとダウンロード放送用のチャンネルを自動選局し、ダウンロードを開始する。通常、デジタル放送受信装置は、放送波から配信されてくる更新制御プログラムおよび更新データを、フラッシュメモリなどの電気的に書き換えが可能な不揮発性メモリに保存し、制御プログラムを更新する。
【０００４】
なお、デジタル放送受信装置は、デジタル放送受信処理部および複数の各部を制御することにより動作しており、制御プログラムにより各部を制御している。そして、制御プログラムに不具合がある場合には制御プログラムを修正する必要がある。この制御プログラムの修正方法として、デジタル放送から更新制御プログラムをダウンロードし、周辺デバイスの制御プログラムを書き換える方法が知られている（特許文献１参照）。
【特許文献１】特開２００６−５４５２２号公報
【発明の開示】
【発明が解決しようとする課題】
【０００５】
特許文献１記載のデジタル放送受信機は、テレビジョンとレコーダとで一体に構成され、ダウンロードによりテレビジョン側とレコーダ側の両方の制御プログラムを更新する。しかし、特許文献１記載のデジタル放送受信機は、ダウンロード処理においてテレビジョン側からレコーダ側を制御する必要がある。デジタル放送を受信できるレコーダ側にはもともと放送波を利用してダウンロード処理ができるため、この仕組みはテレビジョンおよびレコーダがそれぞれ独立してダウンロードする仕組みに比べて負担が大きい。
【０００６】
すなわち、更新処理には、それぞれ単体でする更新処理より大きな変更が必要となる。テレビジョン側では制御プログラムをレコーダ側に送信する処理が必要となり、レコーダ側でも更新制御プログラムを受信する処理が必要となる。また、ダウンロード時にテレビジョン側ＣＰＵがレコーダ側ＣＰＵと通信し、大量の制御プログラムデータを転送する必要がある。したがって、シリアル通信のような低速な通信では転送が困難であり、たとえばＣＰＵ間をＰＣＩバスで繋ぐ高速な通信を利用する必要がある。
【０００７】
本発明は、このような事情に鑑みてなされたものであり、１つの受信波からテレビジョンおよびレコーダの制御プログラムを簡易な構成で更新できるデジタル放送受信機を提供することを目的とする。
【課題を解決するための手段】
【０００８】
（１）上記の目的を達成するため、本発明に係るデジタル放送受信装置は、テレビジョン機能およびレコーダ機能を有し、デジタル放送波を受信する一体型のデジタル放送受信装置であって、前記受信した放送波を復調し、復調した信号を変換して得たＴＳ信号を、テレビジョン側およびレコーダ側の両経路に送出する信号変換部を備え、前記送出されたＴＳ信号から更新データおよびその告知情報を抽出し、テレビジョン側およびレコーダ側のそれぞれの経路で制御プログラムを更新することを特徴としている。
【０００９】
このように、本発明のデジタル放送受信装置は、ＴＳ信号を、テレビジョン側およびレコーダ側の両経路に送出し、それぞれの経路で抽出された情報により制御プログラムを更新する。これにより、１つの受信波でテレビジョン側およびレコーダ側の制御プログラムを更新できる。また、テレビジョン単体またはレコーダ単体で更新データをダウンロードする更新処理をそのまま利用でき、簡易な構成でそれぞれの更新が可能になる。また、低速な通信方法や安価なメモリを利用しても実現可能である。
【００１０】
（２）また、本発明に係るデジタル放送受信装置は、前記告知情報により、テレビジョン側の更新データを受信するか否かを判定するテレビ側データ判定部と、テレビジョン側の更新データを受信すると判定された場合には、ダウンロード用の予約起動を設定するテレビ側ダウンロード予約部と、を更に備えることを特徴としている。このように、あらかじめ告知情報によりダウンロードの予約がなされるため、更新データの配信時に更新が可能となる。その結果、効率よく制御プログラムの更新を行うことができる。なお、テレビジョン側の更新データとは、テレビジョン側の各部を制御する制御プログラムの更新データをいう。
【００１１】
（３）また、本発明に係るデジタル放送受信装置は、前記予約起動がなされたとき、ダウンロードされた更新データにより制御プログラムを更新するテレビ側プログラム更新部を更に備えることを特徴としている。このように、テレビ側プログラム更新部は、レコーダ側制御ユニットと通信することなく、独立して制御プログラムを更新することができる。その結果、両ユニット間には高速な通信手段が不要となる。
【００１２】
（４）また、本発明に係るデジタル放送受信装置は、前記受信された放送波から映像データを取得し、前記映像データから映像信号をデコードする映像デコード部を更に備え、前記テレビ側プログラム更新部は、前記映像信号のデコードとは独立に制御プログラムを更新することを特徴としている。これにより、映像表示に影響を及ぼすことなく制御プログラムを更新することができる。
【００１３】
（５）また、本発明に係るデジタル放送受信装置は、前記制御プログラムの更新後に、ブートフラグを、初期起動を示すものに変更するテレビ側データ変更部と、前記ブートフラグが初期起動を示すか否かを判定し、初期起動を示すと判定された場合には、前記ブートフラグに対応する制御プログラムを初期起動するテレビ側起動部と、を更に備えることを特徴としている。このようにブートフラグを利用することより、テレビジョン側、レコーダ側においてそれぞれ容易に更新された制御プログラムを初期起動することができる。
【００１４】
（６）また、本発明に係るデジタル放送受信装置は、前記告知情報により、レコーダ側の更新データを受信するか否かを判定するレコーダ側データ判定部と、レコーダ側の更新データを受信すると判定された場合には、ダウンロード用の予約起動を設定するテレビ側ダウンロード予約部と、を更に備えることを特徴としている。このように、あらかじめ告知情報によりダウンロードの予約がなされるため、更新データの配信時に更新が可能となる。その結果、効率よく制御プログラムの更新を行うことができる。なお、レコーダ側の更新データとは、レコーダ側の各部を制御する制御プログラムの更新データをいう。
【００１５】
（７）また、本発明に係るデジタル放送受信装置は、前記予約起動がなされたとき、ダウンロードされた更新データにより制御プログラムを更新するレコーダ側プログラム更新部を更に備えることを特徴としている。このように、レコーダ側プログラム更新部は、テレビ側制御ユニットと通信することなく、独立して制御プログラムを更新することができる。その結果、両ユニット間には高速な通信手段が不要となる。
【００１６】
（８）また、本発明に係るデジタル放送受信装置は、前記制御プログラムの更新後に、ブートフラグを、初期起動を示すものに変更するレコーダ側データ変更部と、前記ブートフラグが初期起動を示すか否かを判定し、初期起動を示すと判定された場合には、前記ブートフラグに対応する制御プログラムを初期起動するレコーダ側起動部と、を更に備えることを特徴としている。このようにブートフラグを利用することより、テレビジョン側、レコーダ側においてそれぞれ容易に更新された制御プログラムを初期起動することができる。
【００１７】
（９）また、本発明に係るデジタル放送受信装置は、前記ブートフラグを記憶し、前記テレビ側起動部およびレコーダ側起動部がアクセス可能な共有記憶部を更に備えることを特徴としている。これにより、共有記憶部にテレビジョン側とレコーダ側とを区別できるようにブートフラグを記憶させておくことで、それぞれの側で更新された制御プログラムを初期起動することができる。このような簡易な構成で容易に制御プログラムの更新ができる。
【００１８】
（１０）また、本発明に係る制御プログラムの更新方法は、テレビジョン機能およびレコーダ機能を有する一体型のデジタル放送受信装置の制御プログラムの更新方法であって、前記受信した放送波を復調し、復調した信号を変換して得たＴＳ信号を、テレビジョン側およびレコーダ側の両経路に送出する信号変換ステップと、前記送出されたＴＳ信号から更新データおよびその告知情報を抽出する抽出ステップと、テレビジョン側およびレコーダ側のそれぞれの経路で制御プログラムを更新する更新ステップと、を有することを特徴としている。これにより、１つの受信波でテレビジョン側およびレコーダ側の制御プログラムを更新できる。
【００１９】
（１１）また、本発明に係る制御プログラムの更新プログラムは、テレビジョン機能およびレコーダ機能を有する一体型のデジタル放送受信装置の制御プログラムの更新プログラムであって、前記受信した放送波を復調し、復調した信号を変換して得たＴＳ信号を、テレビジョン側およびレコーダ側の両経路に送出する信号変換処理と、前記送出されたＴＳ信号から更新データおよびその告知情報を抽出する抽出処理と、テレビジョン側およびレコーダ側のそれぞれの経路で制御プログラムを更新する更新処理と、を前記デジタル放送受信装置に実行させることを特徴としている。これにより、１つの受信波でテレビジョン側およびレコーダ側の制御プログラムを更新できる。
【発明の効果】
【００２０】
本発明によれば、本発明によれば１つの受信波からテレビジョンおよびレコーダの制御プログラムを更新できる。また、テレビジョン単体またはレコーダ単体で更新データをダウンロードする更新処理をそのまま利用でき、簡易な構成でそれぞれの更新が可能になる。また、低速な通信方法や安価なメモリを利用しても実現可能である。
【発明を実施するための最良の形態】
【００２１】
次に、本発明の実施の形態について、図面を参照しながら説明する。説明の理解を容易にするため、各図面において同一の構成要素に対しては同一の参照番号を付し、重複する説明は省略する。
【００２２】
［第１の実施形態］
（デジタル放送受信装置の構成）
まず、テレビジョン放送を例として、デジタル放送受信装置のダウンロードによる制御プログラムの更新について説明する。図１は、本発明に係るテレビジョン・レコーダ一体型のデジタル放送受信装置１０１の機能的構成を示すブロック図である。
【００２３】
アンテナ１００は、デジタル放送信号の受信を行い、受信した信号をデジタル放送受信装置１０１に送出する。デジタル放送受信装置１０１は、デジタルチューナ１０２、信号変換部１０３、テレビ側データ抽出部１１１、テレビ側制御ユニット１１２、映像音声出力部１１３、テレビ側記憶部１１６、レコーダ側データ抽出部１２１、レコーダ側制御ユニット１２２、レコーダ側記憶部１２６、ドライブ制御部１２３、共有記憶部１３０、起動管理部１２０を備えている。
【００２４】
デジタルチューナ１０２は、アンテナ１００から送られた放送波（高周波信号（ＲＦ））を所望の物理チャンネルに対する周波数の放送信号を中間周波数（ＩＦ）のベースバンド信号に変換し、信号変換部１０３へと出力する。信号変換部１０３は、入力されたベースバンド信号を復調し、映像・音声データ等の信号が多重化されたトランスポートストリーム信号（ＴＳ信号）を出力する。この変換は、トランスポートストリーム信号変換と呼ばれる。具体的には、信号変換部１０３は、ベースバンド信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で復調し、誤り訂正する。そして、ＴＳ信号を抽出し、テレビ側データ抽出部１１１へ出力する。信号変換部１０３は、たとえばデモジュレータ（ＤＥＭＯＤ）により構成される。
【００２５】
信号変換部１０３は、ベースバンド信号を変調して得られたＴＳ信号をテレビ側データ抽出部１１１だけではなく、レコーダ側データ抽出部１２１にも出力する。これにより、デジタル放送受信装置１０１は、テレビ側データ抽出部１１１およびレコーダ側データ抽出部１２１を介して独立にダウンロード処理をし、低速なシリアル通信でテレビジョン側およびレコーダ側の制御ユニット間の通信が可能になる。信号変換部１０３は、たとえばデマルチプレクサ（ＤＥＭＵＸ）により構成される。
【００２６】
テレビ側データ抽出部１１１は、入力されたＴＳ信号からＰＩＤ（Ｐａｃｋｅｔ  ＩＤ）に基づいて、ＡＶストリーム、ＳＩ（Ｓｅｒｖｉｃｅ  Ｉｎｆｏｒｍａｔｉｏｎ）、ＳＤＴＴ（Ｓｏｆｔｗａｒｅ  Ｄｏｗｎｌｏａｄ  Ｔｒｉｇｇｅｒ  Ｔａｂｌｅ）、ＤＣＴ（Ｄｏｗｎｌｏａｄ  Ｃｏｎｔｒｏｌ  Ｔａｂｌｅ）、ＤＬＴ（Ｄｏｗｎｌｏａｄ  Ｔａｂｌｅ）等の情報を分離し、テレビ側制御ユニット１１２へ出力する。レコーダ側データ抽出部１２１もテレビ側データ抽出部１１１と同様に、入力されたＴＳ信号からストリームデータ、ＳＩ、ＳＤＴＴ、ＤＣＴ、ＤＬＴ等の情報を分離しレコーダ側制御ユニット１２２へ出力する。
【００２７】
テレビ側制御ユニット１１２は、ＣＰＵで構成され、テレビジョン側の各部を制御する。レコーダ側制御ユニット１２２は、ＣＰＵで構成され、レコーダ側の各部を制御する。テレビ側制御ユニット１１２は、レコーダ側制御ユニット１２２と通信し、データを送受信する。テレビ側制御ユニット１１２は、制御プログラムを読み出し、実行し、各部を制御する。
【００２８】
テレビ側記憶部１１６は、テレビ側制御ユニット１１２により使用され、一時記憶領域である揮発性メモリ（ＲＡＭ（Ｒａｎｄｏｍ  Ａｃｃｅｓｓ  Ｍｅｍｏｒｙ））および不揮発性メモリ（フラッシュメモリ（ＦＬＡＳＨメモリ）やＨＤＤ等）により構成される。テレビ側記憶部１１６の揮発性メモリは、デジタル放送受信装置１０１において処理するデータ等を一時的に記憶するための揮発性の記憶領域である。テレビ側記憶部１１６の不揮発性メモリは、テレビ側制御ユニット１１２を制御する２つの制御プログラムを記憶する。テレビ側記憶部１１６の不揮発性メモリは、メモリ領域の割り当てを有し、実行する制御プログラム用の領域と、更新される制御プログラムの領域を有する。レコーダ側記憶部１２６は、レコーダ側制御ユニット１２２により使用される。レコーダ側記憶部１２６も、ＲＡＭ（一時記憶領域）およびフラッシュメモリやＨＤＤ等の不揮発性メモリにより構成される。レコーダ側記憶部１２６の不揮発性メモリは、ブートプログラム、レコーダ側各部の制御プログラム、および制御プログラムのバージョン等を記憶する。
【００２９】
起動管理部１２０は、たとえばモニターマイコン（Ｍｏｎｉｔｏｒマイコン）で構成され、テレビ側起動部１１９およびレコーダ側起動部１２９と通信を行う。そして、ユーザからのリモコン信号を受け付けたり、予約時間にデジタル放送受信装置１０１を起動させたりする。起動管理部１２０は、待機状態時に電源ＯＮのリモコン信号を受信した場合はテレビ側起動部１１９、レコーダ側起動部１２９に起動信号を送る。また、通常起動時にテレビジョン側の各部の制御に関するリモコン信号を受信した場合には、テレビ側起動部１１９に信号を送り、レコーダ側の各部を制御するリモコン信号を受信した場合はレコーダ側起動部１２９に信号を送る。
【００３０】
また、通常起動時に、起動管理部１２０が視聴予約（ダウンロード予約を含む）の命令をテレビ側制御ユニット１１２から受けた場合は、予約時刻に起動信号とチャンネル指定信号をレコーダ側起動部１２９に送る。起動管理部１２０は、録画予約の命令をレコーダ側制御ユニット１２２から受けた場合は予約時刻に起動信号とチャンネル指定信号とをテレビ側制御ユニット１１２に送る。起動管理部１２０は、テレビ側制御ユニット１１２およびレコーダ側制御ユニット１２２が待機状態であっても動き続けるモジュールである。
【００３１】
共有記憶部１３０は、たとえばＥＥＰＲＯＭであり、ブートフラグ（ｂｏｏｔ  ｆｌａｇ）、テレビジョン側の制御プログラムおよびレコーダ側の制御プログラムのバージョン情報等を記憶する。共有記憶部１３０は、テレビ側制御ユニット１１２およびレコーダ側制御ユニット１２２に共用される。なお、ブートフラグは、どちらの制御プログラムを起動させるかを示すフラグである。また、テレビジョン側の制御プログラムおよびレコーダ側の制御プログラムは、テレビ側記憶部１１６、レコーダ側記憶部１２６の領域に格納されている。
【００３２】
（制御ユニットの構成）
次に、テレビ側制御ユニット１１２およびレコーダ側制御ユニット１２２の構成を説明する。図２は、テレビ側制御ユニット１１２の機能的構成を示すブロック図、図３は、レコーダ側制御ユニット１２２の機能的構成を示すブロック図である。図２に示すように、テレビ側制御ユニット１１２は、テレビ側プログラム更新部１１５、テレビ側データ判定部１１４、映像デコード部１１３ａ、テレビ側ダウンロード予約部１１７、テレビ側データ変更部１１８、およびテレビ側起動部１１９を備えている。また、図３に示すように、レコーダ側制御ユニット１２２は、レコーダ側データ判定部１２４、レコーダ側ダウンロード予約部１２５、レコーダ側プログラム更新部１２７、レコーダ側データ変更部１２８、およびレコーダ側起動部１２９を備えている。
【００３３】
テレビ側データ判定部１１４は、テレビ側データ抽出部１１１から入力された情報を判定する。テレビ側データ判定部１１４は、ストリームデータの中からＳＤＴＴ情報を取得することでダウンロード情報を取得する。テレビ側データ判定部１１４は、ＳＤＴＴに含まれる各情報と、デジタル放送受信装置１０１が記憶する識別情報とが一致するか否かを判定する。判定は、共有記憶部１３０に記憶された製造者識別情報、機種識別情報、現在起動中の制御プログラムのバージョン情報と、ＳＤＴＴの情報を比較することで行う。
【００３４】
テレビ側プログラム更新部１１５は、ダウンロード放送が行われている放送波（エンジニアリングストリーム放送）の周波数にデジタルチューナ１０２を設定し、ダウンロードのために選局する。また、テレビ側プログラム更新部１１５は、ダウンロード後にテレビ側記憶部１１６への制御プログラムの書き込みを行う。テレビ側プログラム更新部１１５は、ダウンロードした制御プログラムをテレビ側記憶部１１６に書き込む。また、映像デコード部１１３ａは、ＡＶストリームを復号化し、映像データおよび音声データとして映像音声出力部１１３へ出力する。
【００３５】
テレビ側ダウンロード予約部１１７は、ＩＤが一致し、ダウンロードの必要があると判定された場合にはダウンロードを予約する。ダウンロード予約は、ＳＤＴＴから取得した配信開始時刻に基づいて、起動管理部１２０に予約起動を設定することで行う。
【００３６】
テレビ側データ変更部１１８は、制御プログラムの書き換えの完了後、ブートフラグを変更する。そして変更完了後、起動管理部１２０に完了を通知し、再起動を実行する。テレビ側起動部１１９は、ブート制御プログラムを実行し、共有記憶部１３０に書き込まれたブートフラグを読み取り、どの制御プログラムを起動させるかを決定する。また、テレビ側起動部１１９は、初期起動の動作が正常か否かを判定する。
【００３７】
テレビ側制御ユニット１１２の各部に対応するレコーダ側制御ユニット１２２の各部も、同様に機能する。たとえば、レコーダ側起動部１２９も、テレビ側起動部１１９と同様に、ブートプログラムを実行し、初期起動の正常性を判定する。レコーダ側データ判定部１２４は、レコーダ側データ抽出部１２１から入力された情報を判定する。レコーダ側プログラム更新部１２７は、ダウンロードした制御プログラムをレコーダ側記憶部１２６に書き込む。ただし、テレビ側制御ユニット１１２とは異なり、レコーダ側データ判定部１２４は、受信した指示に応じてドライブ制御部１２３に放送をＨＤＤ、ＢＤ、ＤＶＤ等外部記録メディアに再生、記録させる。
【００３８】
（メモリ領域の割り当て）
次に、テレビ側記憶部１１６、およびレコーダ側記憶部１２６におけるメモリ領域の割り当てを説明する。図４（ａ）は、テレビ側記憶部１１６におけるメモリ領域の割り当て、図４（ｂ）は、およびレコーダ側記憶部１２６におけるメモリ領域の割り当てを示す図である。メモリ領域２０１は、電源投入時にテレビ側起動部１１９により実行されるブート制御プログラムを格納する。テレビ側起動部１１９は、ブート制御プログラムを実行し、共有記憶部１３０に書き込まれたブートフラグを読み取り、制御プログラムＡおよび制御プログラムＢのいずれを起動させるかを決定する。制御プログラムＡおよび制御プログラムＢは、いずれもテレビジョン側の各部を制御するために実行される。メモリ領域２０２は制御プログラムＡを、メモリ領域２０３は制御プログラムＢを格納する。また、メモリ領域２０４は、制御プログラム以外のデータを格納する。なお、制御プログラムを記憶し、メモリ領域の割り当てを有するのは、各記憶部におけるフラッシュメモリやＨＤＤ等の不揮発性メモリである。
【００３９】
メモリ領域２０５は、電源投入時にレコーダ側起動部１２９により実行されるブート制御プログラム用の領域である。レコーダ側起動部１２９は、ブート制御プログラムの実行により、共有記憶部１３０に書き込まれたブートフラグを読み取り、制御プログラムＣおよび制御プログラムＤのいずれを起動させるかを決定する。制御プログラムＣおよび制御プログラムＤは、いずれもレコーダ側の各部を制御するために実行される。メモリ領域２０６は制御プログラムＣを、メモリ領域２０７は制御プログラムＤを格納する。また、メモリ領域２０８は、制御プログラム以外のデータを格納する。
【００４０】
次に各情報の内容を説明する。ＳＤＴＴのＰＩＤは、０ｘ００２３である。図５は、ＳＤＴＴのデータ構造を示す図である。図５に示すように、ＳＤＴＴのテーブル識別子（ｔａｂｌｅ＿ｉｄ）３０１は、０ｘＣ３である。テーブル識別子（ｔａｂｌｅ＿ｉｄ＿ｅｘｔ）３０２は、製造者識別情報（ｍａｋｅｒ＿ｉｄ）および機種識別情報（ｍｏｄｅｌ＿ｉｄ）を含むデータである。現バージョン情報（ｔａｒｇｅｔ＿ｖｅｒｓｉｏｎ）３０３は、ダウンロードの際にアップデート対象となるコンテンツのバージョン番号を示すデータである。
【００４１】
新バージョン情報（ｎｅｗ＿ｖｅｒｓｉｏｎ）３０４は、ダウンロードの際に今回ダウンロードされるコンテンツのバージョン番号を示すデータである。開始時刻情報（ｓｔａｒｔ＿ｔｉｍｅ）３０５は、ダウンロードの配信の開始時間を示すデータである。配信継続時間情報（ｄｕｒａｔｉｏｎ）３０６は、ダウンロードの配信継続時間を示すデータである。
【００４２】
図６は、ＤＣＴのデータ構造を示す図である。ＤＣＴは、ＤＬＴを分離し抽出するための種々の情報である。ＤＣＴには、製造者、機種、制御プログラムのバージョン、ＤＬＴのサイズ等の情報が含まれる。ＤＣＴのＰＩＤは、０ｘ００１７である。図６に示すようにテーブル識別子４０１は、ＤＣＴで０ｘＣ０である。ＰＩＤ情報（ＤＬ＿ＰＩＤ）４０２は、ＤＬＴのＰＩＤを示すデータである。製造者識別情報４０３は、ＤＬＴが適用される受信機の製造者識別を示すデータである。製造者識別情報４０３は、標準化機関で管理運用される値である。
【００４３】
機種識別情報４０４は、ＤＬＴが適用されるデジタル放送受信装置１０１の同一の製造者識別情報内での機種識別用のデータである。バージョン情報（ｖｅｒｓｉｏｎ＿ｉｄ）４０５はＤＬＴが適用されるデジタル放送受信装置１０１の同一の製造者識別情報、機種識別情報内でのソフトバージョン識別用のデータである。ＤＬＴのセクション数（ＤＬＴ＿ｓｉｚｅ）４０６は、同一の製造者識別情報、機種識別情報、バージョン情報を持つＤＬＴのセクション数を示すデータである。ＤＬＴのセクション数４０６は、ＤＬＴにおける拡張セクション番号（ｌａｓｔ＿Ｌｓｅｃｔｉｏｎ＿ｎｕｍｂｅｒ）と同じ値をとる。
【００４４】
ＤＬＴは、ダウンロードする制御プログラム本体を含む情報である。図７は、ＤＬＴのデータ構造を示す図である。図７に示すように、テーブル識別子５０１はテーブル識別子であり、ＤＬＴでは０ｘＣ１である。製造者識別情報５０２は、ＤＬＴが適用されるデジタル放送受信装置１０１の製造者識別を示すデータである。機種識別情報５０３は、ＤＬＴが適用されるデジタル放送受信装置１０１の同一の製造者識別情報内での機種識別用のデータである。バージョン情報５０４は、ＤＬＴが適用される受信機の同一の製造者識別情報、機種識別情報内でのソフトバージョン識別用データである。
【００４５】
拡張セクション番号（Ｌｓｅｃｔｉｏｎ＿ｎｕｍｂｅｒ）５０５は、拡張セクションの番号を示すデータである。サブテーブル中の最初のセクションの拡張セクション番号は０ｘ００であり、同一の製造者識別情報、機種識別情報、バージョン情報を持つセクションの追加ごとに１加算される。最大拡張セクション番号５０５ａは、最大拡張セクション番号を持つセクションの番号を規定するデータである。
【００４６】
本体データ（ｃｏｄｅ＿ｄａｔａ＿ｂｙｔｅ）５０６は、ダウンロードするソフトウェア本体を示すデータである。任意情報（ｍｏｄｅｌ＿ｉｎｆｏ）５０７は、ダウンロードするソフトウェアに関する任意の情報を記載できるデータ領域である。なお、上記のＳＤＴＴ、ＤＣＴ、ＤＬＴのデータ構造はＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）ＳＴＤ−Ｂ１６およびＳＴＤ−Ｂ２１にて規格されている。
【００４７】
（デジタル放送受信装置の動作全体）
次に、デジタル放送受信装置１０１の動作を説明する。デジタル放送受信装置１０１は、ダウンロードによる制御プログラムを更新する一連の動作を行う。
【００４８】
まず、ブートローダで起動処理をする。図８は、デジタル放送受信装置１０１におけるブートローダの起動処理を示すフローチャートである。まず、デジタル放送受信装置１０１は、起動後にブートフラグを参照し（ステップＳ１０１）、制御プログラムＡ、Ｂのどちらを起動させるかを決定する。ブートフラグが、Ａ０、Ａ１であるときは、制御プログラムＡをテレビ側記憶部１１６のＲＡＭ上に展開して制御プログラムＡを起動させる。ブートフラグがＢ０、Ｂ１であるときは、制御プログラムＢをテレビ側記憶部１１６のＲＡＭ上に展開し、制御プログラムＢを起動させる。
【００４９】
次に、起動理由に基づいて分岐処理をする。図９は、制御プログラムＡが起動した際の処理を示すフローチャートである。まず、テレビ側起動部１１９は、ブートフラグのチェックおよび起動管理部１２０との通信により、起動理由を判定する（ステップＳ２０１）。
【００５０】
起動理由が起動管理部１２０による予約起動であると判定された場合には、「ダウンロード起動」を行う。起動理由が起動管理部１２０による予約起動でないと判定された場合には、ブートフラグを判定する（ステップＳ２０２）。そして、ブートフラグがＡ１またはＢ１であり、ダウンロード完了後１回目の起動であると判定された場合には、「初期起動」を行う。ブートフラグがＡ０またはＢ０であり、通常の起動であると判定された場合には、「通常起動」を行う。それぞれの起動がなされたときの動作を以下に説明する。
【００５１】
レコーダ側起動部１２９も同様に分岐処理をする。ダウンロード予約後に起動管理部１２０から予約起動が行われた場合は、レコーダ側起動部１２９は「ダウンロード起動」を行う。ブートフラグがＣ１またはＤ１である場合には、「初期起動」を行う。また、ブートフラグがＣ０またはＤ０である場合には、デジタル放送受信装置１０１は「通常起動」を行う。
【００５２】
（ダウンロード起動）
図１０は、テレビ側起動部１１９によるダウンロード起動時の処理を示すフローチャートである。まず、デジタル放送受信装置１０１は、ダウンロードがテレビ側制御ユニット１１２用であるか否かを判定する（ステップＳ３０１）。テレビ側制御ユニット１１２用でない場合には、ダウンロードはレコーダ側制御ユニット１２２用であり、テレビ側制御ユニット１１２はダウンロード完了後に再起動がかかるのを待つ。
【００５３】
一方、ダウンロードがテレビ側制御ユニット１１２用である場合は、テレビ側プログラム更新部１１５は、ダウンロードのために選局する（ステップＳ３０２）。起動管理部１２０によりダウンロードの配信の開始時刻に起動された後、テレビ側プログラム更新部１１５は、ダウンロード放送が行われている放送波（エンジニアリングストリーム放送）の周波数にデジタルチューナ１０２を設定することで、ダウンロード選局を行う。たとえば、地上波ではＮＨＫ、ＢＳ・ＣＳ放送では９２９チャンネルに設定する。
【００５４】
選局完了後、更新制御プログラムをダウンロードする（ステップＳ３０３）。制御プログラムの受信の際には、デジタル放送受信装置１０１は、ストリームデータから抽出されたＤＣＴ、ＤＬＴ情報に基づいて更新制御プログラムを取得する。制御プログラムの更新データ取得手順の詳細については図１３を用いて後述する。なお、通常の放送では著作権保護のために放送波に暗号がかけられており、Ｂ−ＣＡＳカード等のＩＣカードを利用して復号処理を行う必要があるが、ダウンロード放送ではＴＳに暗号化がかけられていないためＩＣカードを利用した復号化を行わずに情報を取り出すことが可能である。
【００５５】
ダウンロード完了後、テレビ側プログラム更新部１１５は、テレビ側記憶部１１６への書き込みを行う（ステップＳ３０４）。すなわち、テレビ側記憶部１１６上の制御プログラムＢの領域２０３を取得した更新制御プログラムで書き換える。書き換え完了後、テレビ側データ変更部１１８は、ブートフラグをＡ０からＢ１に変更する（ステップＳ３０５）。これにより、次回に起動する制御プログラムＢの起動理由を初期起動とすることができる。変更完了後、起動管理部１２０に完了を通知し、再起動を実行する。
【００５６】
なお、制御プログラムＢが動作してダウンロード起動を行った場合も同様の処理を行うが、ステップＳ３０４においてテレビ側記憶部１１６上の制御プログラムＡ用のメモリ領域２０２を更新制御プログラムで書き換える点、およびステップＳ３０５において次回の起動の制御プログラムを制御プログラムＡとし、起動理由が初期起動となるようブートフラグをＢ０からＡ１に変更する点が異なる。レコーダ側起動部１２９も同様に「ダウンロード起動」を行う。その場合には、ステップＳ３０１においてレコーダ側制御ユニット１２２用であるか否かを確認基準とする。
【００５７】
（初期起動）
次に、「初期起動」時の動作を説明する。テレビ側起動部１１９およびレコーダ側起動部１２９は、いずれも「初期起動」の処理を行う。一例として制御プログラムＢの「初期起動」時における処理を説明する。図１１は、制御プログラムＢの初期起動時における処理を示すフローチャートである。まず、テレビ側起動部１１９は、初期起動の動作が正常か否かを判定する（ステップＳ４０１）。正常に動作しなかったと判定された場合は、再度、目的のプログラムをダウンロードする（ステップＳ４０２）。再ダウンロード処理では、ブートフラグをＢ１からＡ０に変更し、変更完了後、待機状態へと移行する。これにより次回の通常起動にて再び制御プログラムＡが起動し、ダウンロード情報の取得、ダウンロード予約が行われ、同じ更新制御プログラムの取得が実行されるようになる。
【００５８】
一方、正常に動作したと判定された場合は、起動理由の確認において初期起動と判定されないようにブートフラグをＢ１からＢ０に変更する（ステップＳ４０３）。変更後、制御プログラムのバージョン情報を変更する（ステップＳ４０４）。共有記憶部１３０に記憶されている制御プログラムＢのバージョン情報を起動確認し、現在動作中の制御プログラムのバージョン情報で上書きする。変更完了後、待機状態へと移行する。なお、制御プログラムＡでの「初期起動」においても同様の処理が行われるが、ステップＳ４０３においてブートフラグがＡ１からＡ０の変更が行われる点、ステップＳ４０２においてブートフラグがＡ１からＢ０に変更される点が異なる。
【００５９】
また、レコーダ側制御ユニット１２２による処理も同様であるが、テレビ側制御ユニット１１２の処理とは変更処理が異なる。レコーダ側データ変更部１２８は、制御プログラムＣのメモリ領域２０６の書き換えに成功した場合にはブートフラグをＣ１からＣ０に変更する。一方、書き換えに失敗した場合にはブートフラグをＣ１からＤ０に変更する。また、制御プログラムＤの領域２０７の書き換えに成功した場合には、レコーダ側データ変更部１２８は、ブートフラグをＤ１からＤ０に変更する。書き換えに失敗した場合はブートフラグをＤ１からＣ０に変更する。
【００６０】
（通常起動）
次に、「通常起動」時の動作を説明する。図１２は、「通常起動」時におけるダウンロード処理を示すフローチャートである。判定により「通常起動」が選択されると、まず、テレビ側データ判定部１１４は、ストリームデータの中からＳＤＴＴ情報を取得することでダウンロード情報を取得する（ステップＳ５０１）。なお、ＳＤＴＴは告知情報と呼ばれ、ダウンロードの日時や対象となるデジタル放送受信装置１０１の製造メーカ、機種名等を告知するための情報である。
【００６１】
次に、テレビ側データ判定部１１４は、ＳＤＴＴに含まれる製造者識別情報と機種識別情報、現バージョン情報（ｔａｒｇｅｔ＿ｉｄ）３０３と、デジタル放送受信装置１０１自体のＩＤとが一致するか否かを判定する（ステップＳ５０２）。判定は、共有記憶部１３０に記憶された製造者識別情報、機種識別情報、現在起動中の制御プログラムのバージョン情報と、ＳＤＴＴの情報を比較することで行う。ＩＤが一致せずダウンロードを行う必要がないと判定された場合には通常処理に戻りＳ５０１に移行する。
【００６２】
一方、ＩＤが一致し、ダウンロードの必要があると判定された場合にはダウンロードを予約する（ステップＳ５０３）。ダウンロード予約は、ＳＤＴＴから取得した配信開始時刻に基づいて、起動管理部１２０に予約起動を設定することで行う。設定完了後、デジタル放送受信装置１０１は、ユーザがリモコンによりテレビジョンの電源をＯＦＦしたか否かを判定することで電源操作を確認する（ステップＳ５０４）。特に操作がない場合は通常処理に移行し、ステップＳ５０１へと戻る。一方、ユーザがリモコンによりテレビジョンの電源をＯＦＦしたと判定された場合は待機状態へと移行する。
【００６３】
（データ取得処理）
次に、制御プログラムの更新データの取得処理を説明する。図１３は、ステップＳ５０１における制御プログラムの更新データの取得処理を示すフローチャートである。まず、デジタル放送受信装置１０１は、ＤＣＴからＤＬＴのＰＩＤを取得する（ステップＳ６０１）。このように、テレビ側データ抽出部１１１にＰＩＤ＝０ｘ００１７と設定することによりＤＣＴが得られる。その中に記述されているＰＩＤ情報４０２はＤＬＴのＰＩＤを示している。
【００６４】
取得完了後、デジタル放送受信装置１０１は、ＤＬＴを取得し本体データを得る（ステップＳ６０２）。ＤＬＴの取得は、テレビ側データ抽出部１１１にステップＳ６０１にて取得したＤＬＴのＰＩＤを設定することにより行う。デジタル放送受信装置１０１は、その中に含まれる更新データ本体である本体データ５０６と拡張セクション番号５０５を抽出し、テレビ側記憶部１１６のＲＡＭに一時的に格納する。ただしすでに格納済みの拡張セクション番号の本体データはＲＡＭへ保存しない。
【００６５】
次に、全ての本体データをテレビ側記憶部１１６のＲＡＭに格納したか否かを判定する（ステップＳ６０３）。格納した拡張セクション番号の数が最大拡張セクション番号（ｌａｓｔ＿Ｌｓｅｃｔｏｎ＿ｎｕｍｂｅｒ）５０５ａに足りていなければステップＳ６０２に戻りＤＬＴの取得を行う。一方、格納した拡張セクション番号の数が最大拡張セクション番号５０５ａに一致すれば本体データの取得を完了し、ステップＳ５０２に移行する。
【００６６】
なお、本実施形態のデジタル放送受信装置１０１は、テレビ側記憶部１１６またはレコーダ側記憶部１２６内部に２つの制御プログラムを格納する２バンク構成を採用しているが、１つの制御プログラムを格納し、ダウンロード時にそのプログラムを上書きする１バンク構成を採用してもよい。
【００６７】
［第２の実施形態］
上記の実施形態では、テレビ側制御ユニット１１２用の制御プログラムとレコーダ側制御ユニット１２２用の制御プログラムとが異なる機種識別情報に対応付けられており、各プログラムのダウンロード時間も異なる。しかし、同じ機種識別情報に対応付けられている場合でも上記の実施形態と同様の構成で制御プログラムを更新することができる。処理も同様であるが、更新プログラムの取得処理が上記の実施形態のものとは異なる。
【００６８】
図１４は、テレビ側制御ユニット１１２でのデータ取得の処理を示すフローチャートである。テレビ側制御ユニット１１２は、ＤＣＴからＤＬＴのＰＩＤを取得する（ステップＳ７０１）。取得完了後、ＤＬＴを取得し本体データを得る（ステップＳ７０２）。ＤＬＴには、任意情報の中に含まれる本体データ５０６がどの制御プログラムの更新データかを判定するための判定フラグ、最大拡張セクション番号５０５ａのうちのテレビジョン側のセクション数およびレコーダ側のセクション数を含める。これにより、ＤＬＴを取得した際に任意情報５０７を抽出して、レコーダ側制御ユニット１２２用の制御プログラム更新データであった場合は、本体データ５０６を破棄してステップＳ７０２に戻り、ＤＬＴ取得を再度実行する。一方、テレビ側制御ユニット１１２用の制御プログラム更新データであった場合は本体データ５０６と拡張セクション番号５０５を抽出し、テレビ側記憶部１１６のＲＡＭに一時的に格納する。ただし、すでに格納済みの拡張セクション番号の本体データはＲＡＭへ保存しない。
【００６９】
次に、テレビ側データ判定部１１４は、必要な本体データをテレビ側記憶部１１６のＲＡＭに格納したか否かを判定する（ステップＳ７０３）。格納した拡張セクション番号の数が任意情報５０７にあるテレビ側制御ユニット１１２用のセクション数に足りていなければ、ステップＳ７０２に戻りＤＬＴの取得を行う。一方、格納した拡張セクション番号の数が任意情報５０７にあるテレビジョンのセクション数と一致すれば本体データの取得を完了する。
【００７０】
レコーダ側制御ユニット１２２の処理も、テレビ側制御ユニット１１２の処理と同様である。ただし、レコーダ側制御ユニット１２２による処理では、レコーダ側記憶部１２６のＲＡＭが本体データを格納する。また、ステップＳ７０２では、任意情報にレコーダ側制御ユニット１２２用のフラグがあるか否か基準として判定する。以上のような構成および処理により、テレビ側制御ユニット１１２とレコーダ側制御ユニット１２２とが同時にダウンロードにより制御プログラムを更新することが可能となる。
【図面の簡単な説明】
【００７１】
【図１】本発明に係るテレビジョン・レコーダ一体型のデジタル放送受信装置の機能的構成を示すブロック図である。
【図２】テレビ側制御ユニットの機能的構成を示すブロック図である。
【図３】レコーダ側制御ユニットの機能的構成を示すブロック図である。
【図４】（ａ）テレビ側記憶部におけるメモリ領域の割り当て、および（ｂ）レコーダ側記憶部におけるメモリ領域の割り当てを示す図である。
【図５】ＳＤＴＴのデータ構造を示す図である。
【図６】ＤＣＴのデータ構造を示す図である。
【図７】ＤＬＴのデータ構造を示す図である。
【図８】ブートローダの起動処理を示すフローチャートである。
【図９】制御プログラムＡが起動した際の処理を示すフローチャートである。
【図１０】ダウンロード起動時の処理を示すフローチャートである。
【図１１】初期起動時における処理を示すフローチャートである。
【図１２】通常起動時におけるダウンロード処理を示すフローチャートである。
【図１３】制御プログラムの更新データの取得処理を示すフローチャートである。
【図１４】テレビ側制御ユニットでのデータ取得の処理を示すフローチャートである。
【符号の説明】
【００７２】
１００  アンテナ
１０１  デジタル放送受信装置
１０２  デジタルチューナ
１０３  信号変換部
１１１  テレビ側データ抽出部
１１２  テレビ側制御ユニット
１１３  映像音声出力部
１１３ａ  映像デコード部
１１４  テレビ側データ判定部
１１５  テレビ側プログラム更新部
１１６  テレビ側記憶部
１１７  テレビ側ダウンロード予約部
１１８  テレビ側データ変更部
１１９  テレビ側起動部
１２０  起動管理部
１２１  レコーダ側データ抽出部
１２２  レコーダ側制御ユニット
１２３  ドライブ制御部
１２４  レコーダ側データ判定部
１２５  レコーダ側ダウンロード予約部
１２６  レコーダ側記憶部
１２７  レコーダ側プログラム更新部
１２８  レコーダ側データ変更部
１２９  ドライブ制御部
１２９  レコーダ側起動部
１３０  共有記憶部
２０１  テレビジョン側ブートローダ用のメモリ領域
２０２  テレビジョン側制御プログラムＡ用のメモリ領域
２０３  テレビジョン側制御プログラムＢ用のメモリ領域
２０４  テレビジョン側データ用のメモリ領域
２０５  レコーダ側ブートローダ用のメモリ領域
２０６  レコーダ側制御プログラムＣ用のメモリ領域
２０７  レコーダ側制御プログラムＤ用のメモリ領域
２０８  レコーダ側データ用のメモリ領域
３０１、３０２  テーブル識別子
３０３  現バージョン情報
３０４  新バージョン情報
３０５  開始時刻情報
３０６  配信継続時間情報
４０１  テーブル識別子
４０２  ＰＩＤ情報
４０３  製造者識別情報
４０４  機種識別情報
４０５  バージョン情報
４０６  ＤＬＴのセクション数
５０１  テーブル識別子
５０２  製造者識別情報
５０３  機種識別情報
５０４  バージョン情報
５０５  拡張セクション番号
５０５ａ  最大拡張セクション番号
５０６  本体データ
５０７  任意情報
【図１】
2010028344.tif 000003
【図２】
2010028344.tif 000004
【図３】
2010028344.tif 000005
【図４】
2010028344.tif 000006
【図５】
2010028344.tif 000007
【図６】
2010028344.tif 000008
【図７】
2010028344.tif 000009
【図８】
2010028344.tif 000010
【図９】
2010028344.tif 000011
【図１０】
2010028344.tif 000012
【図１１】
2010028344.tif 000013
【図１２】
2010028344.tif 000014
【図１３】
2010028344.tif 000015
【図１４】
2010028344.tif 000016